(57)【要約】  【課題】  天然鉱石を用いて簡単な構成で中赤外線およびマイナスイオンを効率よく発生させる。  【解決手段】  礫岩ホルンフェルスＰを混在した発泡樹脂マット２にヒータ３を配設した第１マット１の上に、礫岩ホルンフェルスＰを混在した発泡樹脂マット９、１０、１１からなる第２マット８を積層する。ヒータ３により加熱されて礫岩ホルンフェルスＰから放射された中赤外線により第２マット８の礫岩ホルンフェルスＰから放射された中赤外線が共振するので、中赤外線およびマイナスイオンの発生効率を高められる。また、第２マット８の一端側の発泡樹脂マット１１の周囲および下部に防水壁を設け、その内側に水を散布することにより、マイナスイオンの発生効率を高めるようにしてもよい。【選択図】  図１
2006141657.tif 000002
【特許請求の範囲】
【請求項１】
礫岩ホルンフェルスを混在した発泡樹脂マットにヒータを配設した第１マットと、前記第１マットの上に積層されて、発泡樹脂マットに礫岩ホルンフェルスを混在させた第２マットとを備えたマット材。
【請求項２】
前記第１マットの厚さよりも第２マットの厚さが薄いことを特徴とする請求項１に記載のマット材。
【請求項３】
前記第１マットの礫岩ホルンフェルスの混入率よりも第２マットの礫岩ホルンフェルスの混入率が高いことを特徴とする請求項１または請求項２に記載のマット材。
【請求項４】
前記第１マットの下部に反射部材を配設したことを特徴とする請求項１ないし請求項３のいずれかに記載のマット材。
【請求項５】
前記第１マットのヒータに礫岩ホルンフェルスを付着させたことを特徴とする請求項１ないし請求項４のいずれかに記載のマット材。
【請求項６】
前記第２マットの少なくとも一端側の所定領域に水分を供給する水供給管を配設したことを特徴とする請求項１ないし請求項５のいずれかに記載のマット材。
【請求項７】
前記第２マットの少なくとも一端側の所定領域の周囲および下部に防水通気加工が施されていることを特徴とする請求項１ないし請求項６のいずれかに記載のマット材。
【請求項８】
礫岩ホルンフェルスを混在した発泡樹脂マットの代わりに、礫岩ホルンフェルスを成形時に一体に混在させてない発泡樹脂材で第１マット及び第２マットの少なくとも一方を成形し、当該マットの表面に、礫岩ホルンフェルスの粒体または粉体を吹付けて付着させるか、または礫岩ホルンフェルスの粒体または粉体を混在させた溶液を塗布して膜状、或いは層状にしたことを特徴とする請求項１ないし請求項７のいずれかに記載のマット材。
【発明の詳細な説明】
【技術分野】
【０００１】
本発明は、健康増進を意図した寝具、家具等におけるマット材に関するものである。
【背景技術】
【０００２】
従来、健康増進を図るための一つの方法として、人体に遠赤外線を照射することが好ましいとされる。人体に照射された遠赤外線は、人体の皮下組織内に浸透し、細胞組織間で熱的反応を起こして深層部の温度を上昇させ、血液等の循環を活発にするとともに、汗腺から生体老廃物や有害物質などの排泄を促進するなど、多くの優れた効果を有するとされる。このため、このような効果が睡眠中に得られるように、遠赤外線を発生させるベッドが数多く提案されている（例えば、特許文献１参照）。
【０００３】
また、健康増進を図るための別の方法として、人体にマイナスイオンを浸透させる方法があり、マイナスイオンにより、自己治癒能力、免疫能力等を高め、血液の物質交換を促進し、新陳代謝を活発にして健康を増進させるとされており、このようなマイナスイオンを発生させるベッドも提案されている（例えば、特許文献２参照）。
【特許文献１】特開２００３−２４５３６６号公報
【特許文献２】特開２００３−２７５３３０号公報
【発明の開示】
【発明が解決しようとする課題】
【０００４】
しかしながら、従来の健康増進のためのベッドは、木炭やセラミック、天然鉱石等から遠赤外線を効率よく発生させるためには構成が複雑になり、構成を簡単にすると遠赤外線の発生効率が悪くなるという問題があった。また、同様に、マイナスイオンを効率よく発生させるためには構成が複雑になり、構成を簡単にするとマイナスイオンの発生効率が悪いという問題があった。さらに、人体に対し遠赤外線よりもさらに優れた効能を発揮する中赤外線については、中赤外線を放射する天然鉱石の存在は知られているものの、そのような天然鉱石をベッド等に取り入れて効率よく中赤外線を放射させる技術は存在しなかった。
【０００５】
本発明は、このような従来の問題を解決するためになされたもので、天然鉱石を用いて簡単な構成で中赤外線やマイナスイオンを効率よく発生させることのできるマット材を提供することを目的とする。
【課題を解決するための手段】
【０００６】
本発明のマット材は、礫岩ホルンフェルスを混在した発泡樹脂マットにヒータを配設した第１マットと、前記第１マットの上に積層されて、発泡樹脂マットに礫岩ホルンフェルスを混在させた第２マットとを備えた構成を有している。礫岩ホルンフェルスは、九州宮崎県と大分県の県境で発見された天然鉱石の一種で赤外線のうちの中赤外線を発生するものとして知られている。波長６〜１４μｍの中赤外線は、人体の最高中枢とされる間脳を刺激し、脳下垂体に影響を及ぼすことにより、脳下垂体ホルモンが副腎髄質を刺激して、３０数種類のホルモンを全身に放出させることにより、人体の健康増進を図るとされている。また、中赤外線が放射されることにより周囲の空気がイオン化され、マイナスイオンが発生する。本発明は、この礫岩ホルンフェルスを発泡樹脂マットに混入させた第１マットをヒータにより加熱して礫岩ホルンフェルスから中赤外線を放射させ、この第１マットから放射した中赤外線により第２マットの礫岩ホルンフェルスからの中赤外線を共振させることにより、中赤外線およびマイナスイオンの発生効率を高めるようにしたものであり、健康増進に大いに役立てることができる。
【０００７】
また、本発明のマット材は、前記第１マットの厚さよりも第２マットの厚さが薄いことを特徴とする。発泡樹脂マットは断熱材でもあるので、表面側の第２マットの厚さを薄くすることにより、第１マットのヒータからの熱を第２マットへ伝えやすくすることができ、第２マット上に横たわる人体をより速く暖めることができる。
【０００８】
また、本発明のマット材は、前記第１マットの礫岩ホルンフェルスの混入率よりも第２マットの礫岩ホルンフェルスの混入率が高いことを特徴とする。この構成により、第２マットからの中赤外線放射量を多くすることができ、第２マット上に横たわる人体をより速く暖めることができる。
【０００９】
また、本発明のマット材は、前記第１マットの下部に反射部材を配設したことを特徴とする。この構成により、第１マットの下部から逃げる中赤外線を上方に反射させて、第２マットからの中赤外線放射量を多くすることができ、第２マット上に横たわる人体をより速く暖めることができる。
【００１０】
また、本発明のマット材は、前記第１マットのヒータに礫岩ホルンフェルスを付着させたことを特徴とする。この構成により、礫岩ホルンフェルスがヒータにより直接加熱されるため、中赤外線放射量を多くすることができ、第２マット上に横たわる人体をより速く暖めることができる。
【００１１】
また、本発明のマット材は、前記第２マットの少なくとも一端側の所定領域に水分を供給する水供給管を配設したことを特徴とする。この構成により、人体の頭部が位置する側の所定領域に水供給管から水分を浸透させることができ、水分が礫岩ホルンフェルスから発生した中赤外線により電気分解されるので、マイナスイオンの発生効率を高めることができる。
【００１２】
また、本発明のマット材は、前記第２マットの少なくとも一端側の所定領域の周囲および下部に防水通気加工が施されていることを特徴とする。この構成により、人体の頭部が位置する側の所定領域に水を供給することができ、供給された水分が外部へ漏れ出るのを防止することができる。
【００１３】
また、本発明のマット材は、礫岩ホルンフェルスを混在した発泡樹脂マットの代わりに、礫岩ホルンフェルスを成形時に一体に混在させてない発泡樹脂材で第１マット及び第２マットの少なくとも一方を成形し、当該マットの表面に、礫岩ホルンフェルスの粒体または粉体を吹付けて付着させるか、または礫岩ホルンフェルスの粒体または粉体を混在させた溶液を塗布して膜状、或いは層状にしたことを特徴とする。この構成により、本発明の効果を有するマット材を簡易に製作することができる。
【発明の効果】
【００１４】
本発明のマット材は、礫岩ホルンフェルスを混在した発泡樹脂マットにヒータを配設した第１マットと、発泡樹脂マットに礫岩ホルンフェルスを混在させた第２マットとを積層したので、第１マットのヒータにより加熱されて礫岩ホルンフェルスから放射された中赤外線により、第２マットの礫岩ホルンフェルスから放射された中赤外線が共振するので、中赤外線の発生効率を高めることができる。また、これに伴い、発生した中赤外線により周囲の空気をイオン化して、マイナスイオンを効率的に発生させることができ、健康増進に大いに役立てることができる。
【発明を実施するための最良の形態】
【００１５】
以下、本発明のマット材を用いた実施の形態について図面を用いて説明する。
（実施の形態１）
図１は本発明の第１の実施の形態におけるマットレスの構成を示している。図１において、第１マット１は礫岩ホルンフェルスＰの粒体または粉体を混在させた発泡樹脂マット２の上にヒータ３を配設したものである。発泡樹脂マット２としては発泡ポリウレタンが使用されている。ヒータ３は、電気カーペットや電気毛布に用いられているものと同じものであり、発熱体を耐熱樹脂で被覆したもので、温度コントローラ４およびコードを介してプラグ５に接続されている。この第１マット１は、長手方向に３分割して折り畳めるように、下面および上面にそれぞれ折り溝６、７が設けられている。第２マット８は、全体として第１マット１と同じ大きさになるように３分割されており、それぞれ礫岩ホルンフェルスＰを混在した発泡樹脂マット９、１０、１１からなる。このような鉱物質を混在させた発泡樹脂マット２、９、１０、１１の製造は、発泡ポリウレタンの原材料に礫岩ホルンフェルスを混合して発泡させる従来技術を用いて行われる。
【００１６】
第１マット１の折り溝６、７により３分割されたそれぞれの領域には、ヒータ３を介して第２マット８の発泡樹脂マット９、１０、１１が、各領域の周辺部およびその内側の適宜箇所において接着材または両面接着テープにより接合されている。さらに、第１マット１の下面には、第１マット１と同じ大きさを有するアルミシート１２が、その周辺部およびその内側の適宜箇所において接着材または両面接着テープにより接合されている。反射部材であるアルミシート１２は、表面にアルミ箔１３を貼付した、またはアルミ蒸着した樹脂シートまたは布である。これらによりマット材が構成され、全体はチャック１４ａを備えた防水通気性を有するマットカバー１４により覆われる。チャック１４ａは、このマット材の両端部から一側部に掛けて設けられ、マット材を出し入れすることができる。
【００１７】
礫岩ホルンフェルスＰは、宮崎県高千穂地方から産出された天照石と呼ばれる天然放射線特殊鉱物を使用しており、珪酸、アルミナ、酸化鉄、酸化カルシウムなどを主成分とし、地下マグマとの接触交代変性作用（ホルンフェルス化）を受けた火成岩である。この天照石は、太陽光線や自然の動的エネルギー（振動等）を吸収して電位を得て、４〜１４μｍの中赤外線を放出し、トルマリンやプラチナ、花崗岩などの天然鉱石に比べて、制がん、血流障害、関節炎、ストレス解消等において遥かに優れた効用を持つとされている。
【００１８】
第１マット１の厚さは３０ｍｍ程度、第２マット８の厚さは２０ｍｍ程度である。また、第１マット１の発泡樹脂に対する礫岩ホルンフェルスＰの混入率は６対４（重量比）であり、第２マット８の発泡樹脂に対する礫岩ホルンフェルスＰの混入率は５対５（重量比）であり、第２マット８における混入率の方が高くなっている。
【００１９】
次に、本実施の形態１におけるマット材の作用について説明する。第１マット１のプラグ５を商用電源コンセントに接続すると、第１マット１の礫岩ホルンフェルスＰが熱エネルギーを得て活性化され、中赤外線を盛んに放出する。第１マット１は多孔質の発泡樹脂なので、放出された中赤外線は第１マット１の内部を通過して表面から放出され、第１マット１と第２マット８との間の空隙を通って第２マット８に入射する。第２マット８に入射した第１マット１からの中赤外線は、第２マット８の礫岩ホルンフェルスＰから放出されている中赤外線と共振共鳴し、第２マット３の表面からは増幅された中赤外線が効率よく放出される。礫岩ホルンフェルスＰは粒体または粉体であるため、全体として大きな表面積を持ち、活性化されたときに大量の中赤外線を放出するので、中赤外線を発生させるためにヒータ３を高温まで加熱する必要はない。さらに、第１マット１の礫岩ホルンフェルスＰの混入率よりも第２マット８の礫岩ホルンフェルスＰの混入率を高くしたので、第２マット８からの中赤外線放射量を多くすることができる。また、第１マット１の下部にアルミシート１２を配設したので、第１マット１の下部から逃げる中赤外線を上方に反射させて、第２マット８からの中赤外線照射量を多くすることができる。さらに、第１マット１の厚さよりも第２マット８の厚さを薄くしたので、第２マット８の上へヒータ３の熱が伝わりやすくすることができる。また、ヒータ３の加熱温度を温度コントローラ４により調整することにより、第２マット８表面の温度を利用者の好みの温度に調整することができる。
【００２０】
図２は本実施の形態１におけるマット材の赤外線放射計による放射輝度特性を示している。赤外線放射計による測定は、発泡ポリウレタン０．１８０ｇ／ｃｍ3、礫岩ホルンフェルス０．１０５ｇ／ｃｍ3、マット厚２０ｍｍ、室温２２℃、湿度５８％、ヒータ加熱温度７０℃で測定を行なった。図２において、破線Ａはプランクの放射法則による理想黒体波の輝度特性を示しており、実線Ｂが本発明のマット材の輝度特性を示している。この図から明かなように、本発明のマット材は理想曲線に極めて近い波長６〜１４μｍの中赤外線が得られることが分かる。また、図３は本発明のマット材における中赤外線の放射率を示しており、波長５〜１４μｍにおいて高い放射率が得られることが分かる。
【００２１】
礫岩ホルンフェルスＰから放射される中赤外線はベータ線（マイナスイオン）であり、このマイナスイオンが空気中の水分子が接触すると、瞬間に放電して電気分解を引き起こし、水分子（Ｈ2Ｏ）は水素イオン（Ｈ＋）と水酸イオン（ＯＨ−）に分離し、水素イオンは水分子のマイナス極に引き付けられ、その極から放出される電子（ｅ−）と結合して水素ガスとなって消失する。これに対し、水酸イオンは、周囲の水分子と結合してヒドロキシルイオン（Ｈ3Ｏ2−）という界面活性効果の非常に高いマイナスイオンとなって放出される。このようなマイナスイオンが人体に吸収されると、自己治癒能力、免疫能力等が高まり、血液中の物質交換を促し、新陳代謝を活発にして健康を大いに増進させる。この場合においても、礫岩ホルンフェルスＰは粒体または粉体であるため、全体として大きな表面積を持ち、活性化されたときに大量の中赤外線を放出するので、上記マイナスイオンも大量に発生する。したがって、相対的に、ヒータ３を高温まで加熱しなくても、大量のマイナスイオンを発生させることができる。
【００２２】
図４は本実施の形態１におけるマット材の第２マット８からのイオン放出量を示しており、発泡ポリウレタン０．１８０ｇ／ｃｍ3、礫岩ホルンフェルス０．１０５ｇ／ｃｍ3、マット厚２０ｍｍ、室温２２℃、湿度５８％、ヒータ加熱温度７０℃における５分間隔毎の測定データである。この図から明らかなように、人体にとって快適な３４℃前後のマット表面温度でマイナスイオンの発生が多くなっていることが分かる。
【００２３】
図５は本実施の形態１において、図６に示すように、ヒータ３に礫岩ホルンフェルスＰの粒体または粉体を接着材または塗料に練り込んで塗布した場合のイオン放射量を示しており、図４の場合と同じ条件で測定したものである。この図４から明らかなように、ヒータ３に礫岩ホルンフェルスＰを塗布することにより、礫岩ホルンフェルスＰがヒータ３により直接加熱されるため中赤外線の放射量が多くなるので、これに伴い、３５℃前後のマット表面温度でマイナスイオンの発生が著しく多くなっている。
【００２４】
なお、本実施の形態１において、第２マット８の一端側の発泡樹脂マット、ここでは第１マット１の温度コントローラ５が配置されている側の発泡樹脂マット１１の周囲および下部に、防水通気性樹脂塗料を含浸させた防水壁を形成することができる。そして、この発泡樹脂マット１１の上に、霧吹きなどにより水を満遍なく散布しておくと、発泡樹脂マット１１内部の水が電気分解されて水分が増えた分だけ、マイナスイオンをさらに多量に発生させることができる。散布された水は、発泡樹脂マット１１の周囲および下部に形成された防水壁により外部へ漏れ出ることがなく、中赤外線やマイナスイオンは防水壁を通過することができる。
【００２５】
このように、本発明の実施の形態１におけるマット材によれば、礫岩ホルンフェルスＰを混在した発泡樹脂マット２の上にヒータ３を配設した第１マット１の上に、礫岩ホルンフェルスＰを混在した発泡樹脂マット９、１０、１１からなる第２マット８を積層したので、第１マット１のヒータ３により加熱されて礫岩ホルンフェルスから放射された中赤外線が、第１マット１と第２マット８との空隙を通過して、第２マット８の礫岩ホルンフェルスＰから放射された中赤外線を共振共鳴させるので、中赤外線およびマイナスイオンの発生効率を高めることができる。さらに、ヒータ３の全体に礫岩ホルンフェルスＰの粒体または粉体を塗布することにより、マイナスイオンの発生を著しく増加させることができる。また、第２マット８の一端側の発泡樹脂マット１１の周囲および下部に防水壁１２を設け、その領域に水を散布することにより、礫岩ホルンフェルスＰから放射された中赤外線により、発泡樹脂マット１１内部の水分子が電気分解されてマイナスイオンを多量に発生させることができる。また、マットの材質に発泡ポリウレタン樹脂を使用しているため、礫岩ホルンフェルスの板状体の上に横たわる場合よりも寝心地が良い等の効果がある。
【００２６】
（実施の形態２）
次に、本発明の第２の実施の形態について説明する。図７は本実施の形態２における発泡樹脂マット２１の構成を示している。この発泡樹脂マット２１は、図１の発泡樹脂マット１１に相当するものである。実施の形態１では、人体の頭部に相当する部分の発泡樹脂マット１１に、使用者が水を散布する例を示したが、本実施の形態２では、マット材の同じ部分に水供給管から水を供給するようにしたものである。発泡樹脂マット２１は、発泡樹脂マット１１と同じ大きさおよび厚さを有し、礫岩ホルンフェルスＰを混在させた上部マット２２と下部マット２３との間に水供給管２４を介在させ、下部マット２３を上部マット２２の嵌合凹部２２ａ内に嵌合させたものである。水供給管２４のパイプ２４ａが載置される下部マット２３の周囲および下部には、防水通気性樹脂塗料を含浸させた防水壁２３ａが設けられている。水供給管２４は、合成樹脂製または金属製のパイプ２４ａを葛折りして循環路を形成し、その両端部（端部が一つとなるように接合してもよい。）をキャップ２５を介して水タンク２６に接続したものである。水供給管２４のパイプ２４ａには、その下部のほぼ全長にわたって多数の散水孔２４ｂが所定間隔で設けられている。水タンク２６は、給水キャップ２７を有し、下部マット２３を湿らせる程度の水の量が収容可能で、発泡樹脂マット２１の外側に露出するようになっている。
【００２７】
本実施の形態２における発泡樹脂マット２１の作用は、図１の発泡樹脂マット１１に水を散布した場合と同じである。すなわち、水タンク２６内に給水キャップ２７を外して水を充填した後、給水キャップ２７を締めると、水供給管２４の散水孔２４ｂから水が染み出して下部マット２３に染み込む。染み込んだ水分は防水壁２３ａにより外部に漏れ出すことはない。以降は、実施の形態１の発泡樹脂マット１１に水を散布したと同様にして、マイナスイオンを効率的に発生させることができる。
【００２８】
このように、本実施の形態２によれば、第２マットの人体の頭部が位置する側の発泡樹脂マット２１の内部に水供給管２４を配設して、水供給管２４から樹脂マット２１内に水分を浸透させるようにしたので、発泡樹脂マット２１に随時水分を補給することができ、安定して継続的にマイナスイオンを発生させることができる。
【００２９】
（実施の形態３）
次に、本発明の第３の実施の形態について説明する。上記実施の形態１および実施の形態２においては、マイナスイオンを発生させるための水を散布する領域を、３分割された第２マット８のうちの人体の頭部に近い方の発泡樹脂マット１１、２１に限っている。これは、マイナスイオンは、呼吸により１８％程度、皮膚から８２％程度吸収されると言われているので、人体の頭部に近い部分の領域に限定したものである。しかし、第２マット８の領域１１のみならず、領域１０、１１または全ての領域９、１０、１１に水を散布できる構造にしてもよいことは勿論である。これに対して、本実施の形態３においては、水を散布する領域をさらに限定して枕部分のみとしたものである。
【００３０】
図８は本実施の形態３における枕３１の構成を示している。枕３１は、上部発泡樹脂体３２と下部発泡樹脂体３３とを有し、それぞれ礫岩ホルンフェルスＰを混在させた発泡ポリウレタンにより成形される。下部発泡樹脂体３３の上には水供給管３４が配置され、その下部発泡樹脂体２３を上部発泡樹脂体２２の嵌合凹部３２ａ内に嵌合させて組み立てられ、全体が水タンク３６を除いてチャック付きの防水通気性の枕カバーにより覆われる。水供給管３４のパイプ３４ａが載置される下部発泡樹脂体３３の周囲および下部には、防水通気性樹脂塗料を含浸させた防水壁３３ａが設けられている。水供給管３４は、ビニル製のパイプ３４ａを葛折りして循環路を形成し、その両端部をキャップ３５を介して水タンク３６に接続したものである。水供給管３４のパイプ３４ａには、その下部のほぼ全長にわたって散水孔３４ｂが設けられている。水タンク３６は、下部発泡樹脂体３３を湿らせる程度の水の量が収容できればよい。
【００３１】
本実施の形態３における枕３１の作用について説明する。水タンク３６内にキャップ３５を外して水を充填した後、キャップ３５を締めて水タンク３６を持ち上げてパイプ３４ａの位置よりも上にすると、水供給管３４の散水孔３４ｂから水が染み出して下部発泡樹脂体３３に染み込む。このような枕３１を図１に示したマットレスの人体の頭部が来る発泡樹脂マット１１の上に載せ、ヒータ３を通電させることにより、第１マット１および第２マット８のそれぞれの礫岩ホルンフェルスＰから放出された中赤外線が、枕３１内の礫岩ホルンフェルスＰから放出された中赤外線を共振共鳴させるので、枕３１からは中赤外線が効率的に放出されるとともに、枕３１内の水分子が電気分解されてマイナスイオンを効率的に発生させることができる。
【００３２】
このように、本実施の形態３によれば、礫岩ホルンフェルスＰを含浸させた発泡樹脂体３２、３３の間に水供給管３４を配設して、水供給管３４から水分を枕３１内に浸透させるようにしたので、この枕３１を実施の形態１または実施の形態２に示したマット材の上で使用することにより、枕３１から多量の中赤外線およびマイナスイオンを効率的に発生させることができる。
【００３３】
以上の各実施の形態の説明では、第１マット１および第２マット８並びに各発泡樹脂マットや発泡樹脂体として礫岩ホルンフェルスを成形時に一体に混在させた発泡ポリウレタンとして説明したが、代わりに第１マット１および第２マット８等を通常の発泡樹脂材で成形し（礫岩ホルンフェルスを成形時に一体に混在させてない）、その表面に、接着層を介して礫岩ホルンフェルスの粒体または粉体を吹付けて付着させるか、または礫岩ホルンフェルスの粒体または粉体を混在させた溶液を塗布して膜状、或いは層状にしてもよい。
【００３４】
また、以上の各実施の形態の説明では、第１マット１および第２マット８並びに各発泡樹脂マットや発泡樹脂体として発泡ポリウレタンを使用したが、代わりに発泡ポリスチレンのような発泡樹脂材を用いてもよい。また、これらの材料に代えて、通常のベッドに使用されているような、合成繊維や椰子がらなどの天然繊維を多孔質構造として用いてもよい。
【００３５】
また、実施の形態３において、枕３１を第２マット８の上に載せて使用するものとして説明したが、例えば図８の下部発泡樹脂体３３の下部にヒータを配設することにより、枕単体で使用しても、中赤外線とマイナスイオンを効率的に発生させることができる。
【産業上の利用可能性】
【００３６】
以上のように、本発明に係るマット材は、中赤外線およびマイナスイオンの発生効率を高めることができるという効果を有し、健康増進を図る寝具や家具として有用であり、マットレス以外にもカーペットやソファー、カウチ、クッション、座布団等への用途にも適用することができる。
【図面の簡単な説明】
【００３７】
【図１】本発明の第１の実施の形態におけるマットレスの分解斜視図
【図２】本発明の第１の実施の形態におけるマット材から発生する中赤外線放射輝度を示す特性図
【図３】本発明の第１の実施の形態におけるマット材から発生する中赤外線放射率を示す特性図
【図４】本発明の第１の実施の形態におけるマット材から発生するマイナスイオン放射量を示す特性図
【図５】本発明の第１の実施の形態においてヒータに礫岩ホルンフェルスを付着させた場合のマイナスイオン放射量を示す別の特性図
【図６】本発明の第１の実施の形態においてヒータに礫岩ホルンフェルスを付着させた場合の部分斜視図
【図７】本発明の第２の実施の形態におけるマット材の分解斜視図
【図８】本発明の第３の実施の形態における枕の分解斜視図
【符号の説明】
【００３８】
１  第１マット
２  発泡樹脂マット
３  ヒータ
４  温度コントローラ
５  プラグ
６、７  折り溝
８  第２マット
９、１０、１１  発泡樹脂マット
１２  アルミシート
１３  アルミ箔
１４  マットカバー
２１  発泡樹脂マット
２２  上部マット
２３  下部マット
２３ａ  防水壁
２４  水供給管
２４ａ  パイプ
２４ｂ  散水孔
２５  キャップ
２６  水タンク
２７  給水キャップ
３１  枕
３２、３３  発泡樹脂体
３３ａ  防水壁
３４  水供給管
３４ａ  パイプ
３４ｂ  散水孔
３５  キャップ
３６  水タンク
【図１】
2006141657.tif 000003
【図２】
2006141657.tif 000004
【図３】
2006141657.tif 000005
【図４】
2006141657.tif 000006
【図５】
2006141657.tif 000007
【図６】
2006141657.tif 000008
【図７】
2006141657.tif 000009
【図８】
2006141657.tif 000010